(57)【要約】【課題】プラグを誤った差込口に挿入するのを防ぐのに好適なプラグ誤挿入防止システム、プラグ、プラグ差込部、及び、これらを制御するプログラムを提供する。【解決手段】プラグ誤挿入防止システム１を、機器４にケーブルを介して取り付けられたプラグ２と、機器５の背面に取り付けられたプラグ差込部３と、を含んだ構成とし、プラグ２を、非接触識別タグ２０と、接続部２１と、を含んだ構成とし、非接触識別タグ２０を、データ受信部２０ａと、データ送信部２０ｂと、データ制御部２０ｃと、データ記憶部２０ｄと、第１の状態通知部２０ｅと、表示部２０ｆと、電力生成部２０ｇと、を含んだ構成とし、プラグ差込部３を、データ受信部３ａと、データ送信部３ｂと、データ制御部３ｃと、データ記憶部３ｄと、応答情報生成部３ｅと、第２の状態通知部３ｆと、第１〜第３の表示部３ｇ〜３ｉと、第１〜第３の挿入口３ｊ〜３ｌと、を含んだ構成とした。【選択図】図１
2008192626.tif 000002
【特許請求の範囲】
【請求項１】
所定用途に用いられるプラグを、プラグ差込部の有するプラグ差込口に挿入する際に、当該プラグを誤ったプラグ差込口に挿入するのを防ぐためのプラグ誤挿入防止システムであって、
前記プラグは、当該プラグに対応するプラグ差込口を識別するための情報である第１の識別用情報を記憶する第１の識別用情報記憶手段と、前記プラグ差込部の有するプラグ差込口に接近したときに、当該プラグ差込部に対して前記第１の識別用情報を送信するプラグ差込口情報送信手段と、前記プラグ差込部からの応答情報を受信する応答情報受信手段と、当該応答情報受信手段によって受信した応答情報に基づき当該プラグの前記プラグ差込口に対する状態をシステム利用者に通知するプラグ状態通知手段と、を備え、
前記プラグ差込部は、当該プラグ差込部の有するプラグ差込口に対応する前記プラグを識別するための情報である第２の識別用情報を記憶する第２の識別用情報記憶手段と、前記プラグから送信された前記第１の識別用情報を受信する第１の識別用情報受信手段と、当該第１の識別用情報受信手段によって受信した前記第１の識別用情報と前記第２の識別用情報とを比較する識別用情報比較手段と、当該識別用情報比較手段の比較結果に基づき前記プラグへの応答情報を生成する応答情報生成手段と、当該応答情報生成手段によって生成された前記応答情報を前記プラグに送信する応答情報送信手段と、前記応答情報に基づき、前記プラグ差込口の当該プラグに対する状態を前記システム利用者に通知するプラグ差込口状態通知手段と、を備えることを特徴とするプラグ誤挿入防止システム。
【請求項２】
前記プラグは、非接触識別タグを備え、
当該非接触識別タグが、当該プラグに対応するプラグ差込口を識別するための情報である第１の識別用情報を記憶する第１の識別用情報記憶手段と、前記プラグ差込部の有するプラグ差込口に接近したときに、当該プラグ差込部に対して前記第１の識別用情報を送信するプラグ差込口情報送信手段と、前記プラグ差込部からの応答情報を受信する応答情報受信手段と、当該応答情報受信手段によって受信した応答情報に基づき当該プラグの前記プラグ差込口に対する状態をシステム利用者に通知するプラグ状態通知手段と、を備えることを特徴とする請求項１記載のプラグ誤挿入防止システム。
【請求項３】
前記プラグは、前記プラグ差込部から送信された電磁波から当該プラグ駆動用の電力を生成する電力生成手段を備え、
前記プラグ差込部は、当該プラグ差込部に接近した前記プラグに電力供給用の電磁波を送信する電力供給用電磁波送信手段を備えることを特徴とする請求項１又は請求項２記載のプラグ誤挿入防止システム。
【請求項４】
前記プラグ状態通知手段は、プラグ状態表示部を有しており、当該プラグ状態表示部への所定情報の表示によって前記システム利用者への前記プラグの前記プラグ差込口に対する状態の通知を行うようになっていることを特徴とする請求項１乃至請求項３のいずれか１項に記載のプラグ誤挿入防止システム。
【請求項５】
前記プラグ状態表示部は、発光素子から成り、当該発光素子の発光状態によって前記システム利用者への前記プラグの前記プラグ差込口に対する状態の通知を行うようになっていることを特徴とする請求項１乃至請求項４のいずれか１項に記載のプラグ誤挿入防止システム。
【請求項６】
前記プラグの前記プラグ差込口に対する正しい挿入位置を案内可能な当該プラグの特定位置に、前記プラグ状態表示部を配設したことを特徴とする請求項５記載のプラグ誤挿入防止システム。
【請求項７】
前記プラグ状態通知手段は、前記プラグの前記プラグ差込口に対する位置に応じて前記発光素子の発光状態を変化させるようになっていることを特徴とする請求項５又は請求項６記載のプラグ誤挿入防止システム。
【請求項８】
前記プラグ差込口状態通知手段は、プラグ差込口状態表示部を有しており、当該プラグ差込口状態表示部への所定情報の表示によって前記システム利用者への前記プラグ差込口の当該プラグに対する状態の通知を行うようになっていることを特徴とする請求項１乃至請求項７のいずれか１項に記載のプラグ誤挿入防止システム。
【請求項９】
前記プラグ差込口状態表示部は、発光素子から成り、当該発光素子の発光状態によって前記システム利用者への前記プラグ差込口の当該プラグに対する状態の通知を行うようになっていることを特徴とする請求項１乃至請求項８のいずれか１項に記載のプラグ誤挿入防止システム。
【請求項１０】
前記プラグを前記プラグ差込口に挿入する時に、当該プラグの正しい挿入位置の案内が可能な前記プラグ差込部の特定位置に、前記プラグ差込口状態表示部を配設したことを特徴とする請求項８又は請求項９記載のプラグ誤挿入防止システム。
【請求項１１】
前記プラグ差込部状態通知手段は、前記プラグ差込口に対する前記プラグの位置に応じて前記発光素子の発光状態を変化させるようになっていることを特徴とする請求項９又は請求項１０記載のプラグ誤挿入防止システム。
【請求項１２】
前記第１の識別用情報は、前記プラグ所有者の固有情報を含んでおり、
前記プラグ差込部は、前記受信した前記第１の識別用情報に含まれる前記固有情報に基づき当該固有情報の送信元のプラグが当該プラグ差込部の有するプラグ差込口を利用できるか否かを判定する利用可否判定手段を備え、
前記応答情報生成手段は、前記利用可否判定手段の判定結果にも基づき前記応答情報を生成するようになっていることを特徴とする請求項１乃至請求項１１のいずれか１項に記載のプラグ誤挿入防止システム。
【請求項１３】
請求項１記載のプラグ誤挿入防止システムに適用可能なプラグであって、
当該プラグに対応するプラグ差込口を識別するための情報である第１の識別用情報を記憶する第１の識別用情報記憶手段と、前記プラグ差込部の有するプラグ差込口に接近したときに、当該プラグ差込部に対して前記第１の識別用情報を送信するプラグ差込口情報送信手段と、前記プラグ差込部からの応答情報を受信する応答情報受信手段と、当該応答情報受信手段によって受信した応答情報に基づき当該プラグの前記プラグ差込口に対する状態をシステム利用者に通知するプラグ状態通知手段と、を備えることを特徴とするプラグ。
【請求項１４】
請求項１記載のプラグ誤挿入防止システムに適用可能なプラグ差込部であって、
当該プラグ差込部の有するプラグ差込口に対応する前記プラグを識別するための情報である第２の識別用情報を記憶する第２の識別用情報記憶手段と、前記プラグから送信された前記第１の識別用情報を受信する第１の識別用情報受信手段と、当該第１の識別用情報受信手段によって受信した前記第１の識別用情報と前記第２の識別用情報とを比較する識別用情報比較手段と、当該識別用情報比較手段の比較結果に基づき前記プラグへの応答情報を生成する応答情報生成手段と、当該応答情報生成手段によって生成された前記応答情報を前記プラグに送信する応答情報送信手段と、前記応答情報に基づき、前記プラグ差込口の当該プラグに対する状態を前記システム利用者に通知するプラグ差込口状態通知手段と、を備えることを特徴とするプラグ差込部。
【請求項１５】
請求項１３記載のプラグを制御するためのプログラムであって、
前記プラグ差込部の有するプラグ差込口に接近したときに、当該プラグ差込部に対して前記第１の識別用情報を送信するプラグ差込口情報送信ステップと、前記プラグ差込部からの応答情報を受信する応答情報受信ステップと、当該応答情報受信ステップにおいて受信した応答情報に基づき当該プラグの前記プラグ差込口に対する状態をシステム利用者に通知するプラグ状態通知ステップと、を備えることを特徴とするプラグ制御プログラム。
【請求項１６】
請求項２記載のプラグ誤挿入防止システムにおける前記非接触識別タグを制御するためのプログラムであって、
前記プラグが前記プラグ差込部の有するプラグ差込口に接近したときに、当該プラグ差込部に対して前記第１の識別用情報を送信するプラグ差込口情報送信ステップと、前記プラグ差込部からの応答情報を受信する応答情報受信ステップと、当該応答情報受信ステップにおいて受信した応答情報に基づき当該プラグの前記プラグ差込口に対する状態をシステム利用者に通知するプラグ状態通知ステップと、を備えることを特徴とする非接触識別タグ制御プログラム。
【請求項１７】
請求項１４記載のプラグ差込部を制御するためのプログラムであって、
前記プラグから送信された前記第１の識別用情報を受信するプラグ差込口情報受信ステップと、当該プラグ差込口情報受信ステップにおいて受信した前記第１の識別用情報と前記第２の識別用情報とを比較するプラグ差込口情報比較ステップと、当該プラグ差込口情報比較ステップの比較結果に基づき前記プラグへの応答情報を生成する応答情報生成ステップと、当該応答情報生成ステップにおいて生成された前記応答情報を前記プラグに送信する応答情報送信ステップと、前記応答情報に基づき、前記プラグ差込口の当該プラグに対する状態を前記システム利用者に通知するプラグ差込口状態通知ステップと、を備えることを特徴とするプラグ差込部制御プログラム。
【発明の詳細な説明】
【技術分野】
【０００１】
本発明は、プラグ及びプラグ差込部に係り、特に、プラグを誤った差込口に挿入するのを防ぐのに好適なプラグ誤挿入防止システムに関する。
【背景技術】
【０００２】
従来、電源コンセント等のプラグを誤った差込口に挿入しないようにするために、プラグと差込口の両方に同じ色を付けるなど、両者の正しい組み合わせが明確になるように対応付けする工夫がなされていた。この対応付けは、プラグとその差込口がセットで販売されるような機器であれば、製造の段階からプラグと差込口とを同じ色にする等、両者の明確な対応付けが可能である。しかし、これらプラグを有する機器と、プラグの差込口を有する機器は、別々に販売されるものも多く、そのどちらか一方、または、両方を、別々に購入した場合は、購入者本人が何らかの対応付けをする必要があった。
【発明の開示】
【発明が解決しようとする課題】
【０００３】
しかしながら、予め対応付けをした場合でも、その表示位置が見辛い位置にある場合や、暗い場所に機器を設置した場合などに、対応付けした内容を見間違うなどすることで、プラグを誤った別の差込口に挿入してしまう恐れがある。このような場合に、機器がショートにより壊れたり、機器に過電圧がかかって壊れたり、最悪の場合は、機器が発火や爆発をするなどの危険性がある。
【０００４】
また、上記したように購入者本人が対応付けを行う場合は、差込口が正しいかどうかを判断するために、一度プラグを挿入して確かめるなどプラグと差込口との正しい組み合わせを確認する必要があり、このときに、プラグを誤った別の差込口に挿入してしまう恐れがある。このような場合に、上記同様の危険性がある。
【０００５】
また、プラグと差込口との組み合わせが正しいかどうかを確認しないで対応付けした場合も、プラグと差込口とに対して誤った対応付けをした場合などに、プラグを誤った別の差込口に挿入してしまう恐れがある。このような場合に、上記同様の危険性がある。
そこで、本発明は、このような従来の技術の有する未解決の課題に着目してなされたものであって、プラグを誤った差込口に挿入するのを防ぐのに好適なプラグ誤挿入防止システム、プラグ、プラグ差込部、プラグ制御プログラム、非接触識別タグ制御プログラム、プラグ差込部制御プログラムを提供することを目的としている。
【課題を解決するための手段】
【０００６】
上記目的を達成するために、本発明に係るプラグ誤挿入防止システムは、所定用途に用いられるプラグを、プラグ差込部の有するプラグ差込口に挿入する際に、当該プラグを誤ったプラグ差込口に挿入するのを防ぐためのプラグ誤挿入防止システムであって、前記プラグは、当該プラグに対応するプラグ差込口を識別するための情報である第１の識別用情報を記憶する第１の識別用情報記憶手段と、前記プラグ差込部の有するプラグ差込口に接近したときに、当該プラグ差込部に対して前記第１の識別用情報を送信するプラグ差込口情報送信手段と、前記プラグ差込部からの応答情報を受信する応答情報受信手段と、当該応答情報受信手段によって受信した応答情報に基づき当該プラグの前記プラグ差込口に対する状態をシステム利用者に通知するプラグ状態通知手段と、を備え、前記プラグ差込部は、当該プラグ差込部の有するプラグ差込口に対応する前記プラグを識別するための情報である第２の識別用情報を記憶する第２の識別用情報記憶手段と、前記プラグから送信された前記第１の識別用情報を受信する第１の識別用情報受信手段と、当該第１の識別用情報受信手段によって受信した前記第１の識別用情報と前記第２の識別用情報とを比較する識別用情報比較手段と、当該識別用情報比較手段の比較結果に基づき前記プラグへの応答情報を生成する応答情報生成手段と、当該応答情報生成手段によって生成された前記応答情報を前記プラグに送信する応答情報送信手段と、前記応答情報に基づき、前記プラグ差込口の当該プラグに対する状態を前記システム利用者に通知するプラグ差込口状態通知手段と、を備えることを特徴としている。
【０００７】
このような構成であれば、第１の発明において、プラグは、第１の識別用情報記憶手段によって、当該プラグに対応するプラグ差込口を識別するための情報である第１の識別用情報を記憶することが可能であり、プラグ差込口情報送信手段によって、前記プラグ差込部の有するプラグ差込口に接近したときに、当該プラグ差込部に対して前記第１の識別用情報を送信することが可能であり、応答情報受信手段によって、前記プラグ差込部からの応答情報を受信することが可能であり、プラグ状態通知手段によって、前記応答情報受信手段によって受信した応答情報に基づき当該プラグの前記プラグ差込口に対する状態をシステム利用者に通知することが可能であり、プラグ差込部は、第２の識別用情報記憶手段によって、当該プラグ差込部の有するプラグ差込口に対応する前記プラグを識別するための情報である第２の識別用情報を記憶することが可能であり、第１の識別用情報受信手段によって、前記プラグから送信された前記第１の識別用情報を受信することが可能であり、識別用情報比較手段によって、前記第１の識別用情報受信手段によって受信した前記第１の識別用情報と前記第２の識別用情報とを比較することが可能であり、応答情報生成手段によって、前記識別用情報比較手段の比較結果に基づき前記プラグへの応答情報を生成することが可能であり、応答情報送信手段によって、前記応答情報生成手段によって生成された前記応答情報を前記プラグに送信することが可能であり、プラグ差込口状態通知手段によって、前記応答情報に基づき、前記プラグ差込口の当該プラグに対する状態を前記システム利用者に通知することが可能である。
【０００８】
従って、プラグがプラグ差込口に接近することで、そのプラグ差込口がプラグに対応しているか否かを知ることが可能となるので、システム利用者が、プラグを、誤ったプラグ差込口に挿入するのを防ぐことが可能となる。
ここで、上記プラグは、電気機械において、回路を接続し、あるいは切断するために用いる差込み器具であり、一般にケーブルや取りはずしできる部分品に取り付けられているもので、ジャック、アウトレット、レセプタクル、ソケット、コンセントなどのプラグ差込部のプラグ差込口に挿入されるものである。なお、電気的に接続するものであれば、ピン、コネクタなどの他の名称で呼ばれているものも含む。
【０００９】
また、上記プラグ状態通知手段は、光や音、画像（文字を含む）表示等により、システム利用者にプラグの状態を通知するものである。例えば、接近したプラグ差込口が対応したものであれば、青色の光を点灯したり、対応していることを示す音や声を出力したり、青色の画像を表示したりする。一方、対応したものでなければ、赤色の光を点灯したり、対応していないことを示す音や声を出力したり、赤色の画像を表示したりする。
【００１０】
また、上記プラグ差込口状態通知手段は、光や音、画像（文字を含む）表示等により、システム利用者にプラグに接近されたプラグ差込口の状態を通知するものである。例えば、接近したプラグが対応したものであれば、青色の光を点灯したり、対応していることを示す音や声を出力したり、青色の画像を表示したりする。一方、対応したものでなければ、赤色の光を点灯したり、対応していないことを示す音や声を出力したり、赤色の画像を表示したりする。
【００１１】
また、第２の発明は、第１の発明において、前記プラグは、非接触識別タグを備え、当該非接触識別タグが、当該プラグに対応するプラグ差込口を識別するための情報である第１の識別用情報を記憶する第１の識別用情報記憶手段と、前記プラグ差込部の有するプラグ差込口に接近したときに、当該プラグ差込部に対して前記第１の識別用情報を送信するプラグ差込口情報送信手段と、前記プラグ差込部からの応答情報を受信する応答情報受信手段と、当該応答情報受信手段によって受信した応答情報に基づき当該プラグの前記プラグ差込口に対する状態をシステム利用者に通知するプラグ状態通知手段と、を備えることを特徴としている。
【００１２】
つまり、非接触識別タグは、第１の識別用情報記憶手段によって、当該プラグに対応するプラグ差込口を識別するための情報である第１の識別用情報を記憶することが可能であり、プラグ差込口情報送信手段によって、前記プラグ差込部の有するプラグ差込口に接近したときに、当該プラグ差込部に対して前記第１の識別用情報を送信することが可能であり、応答情報受信手段によって、前記プラグ差込部からの応答情報を受信することが可能であり、プラグ状態通知手段によって、前記応答情報受信手段によって受信した応答情報に基づき当該プラグの前記プラグ差込口に対する状態をシステム利用者に通知することが可能である。
【００１３】
従って、例えば、通常のプラグに非接触識別タグを取り付けるだけで、プラグがプラグ差込口に接近することで、そのプラグ差込口がプラグに対応しているか否かを知ることが可能となり、システム利用者が、プラグを、誤ったプラグ差込口に挿入するのを防ぐことが可能となる。更に、非接触識別タグをプラグに取り付けるだけで、本システムに利用することが可能となるので、様々な種類のプラグに簡易に適用することが可能である。
【００１４】
ここで、非接触識別タグとは、ＲＦＩＤ（Radio Frequency IDentification）システムにおいて用いられるもので、一般にデータキャリアなどとも呼ばれている。その形状には、ラベル型、カード型、コイン型、スティック型等の様々なものがある。これらの形状はアプリケーションと密接な関係があり、例えば、人が持つものは、カード形あるいはラベル形をキーホルダ形状に加工したものがある。また、半導体のキャリアＩＤとしてはスティック形が主流となっている。なお、リネン関連の服に縫い込まれるものはコイン形が主流となっている。
【００１５】
また、非接触識別タグは、データ読取専用、あるいは、データの読み書きが自由に行える記憶領域を備えており、更に、アンテナ側からの非接触電力伝送により電池が無くても動作可能なものがある。
また、ＲＦＩＤシステムとは、媒体に電波・電磁波を用いたＩＤシステムであり、非接触識別タグが、（１）携帯容易な大きさであること、（２）情報を電子回路に記憶すること、（３）非接触通信により交信することの３つの特徴を備えている。
【００１６】
従って、ＲＦＩＤシステムは、非接触識別タグを持つ人・物・車などと、その情報とを一元化させる目的で使用される。つまり、人・物・車がある場所で随時、必要な情報を取り出すことができ、かつ必要に応じて新たな情報を書き込むことができる。
また、ＲＦＩＤシステムの代表的な種類としては、主に、交流磁界によるコイルの相互誘導を利用して非接触識別タグとの交信を行う電磁結合方式、主に、２５０ｋＨｚ以下、あるいは、１３．５６ＭＨｚ帯の長・中波帯の電磁波を利用して非接触識別タグとの交信を行う電磁誘導方式、リーダ／ライタ側のアンテナと非接触識別タグ間で、２．４５ＧＨｚ帯のマイクロ波によりデータ交信を行うマイクロ波方式、光の発生源としてＬＥＤを、受光器としてはフォトトランジスタ等を配置し、光の空間伝送を利用して非接触識別タグとの交信を行う光方式の４つがある。
【００１７】
また、アクセス方式は、主に、シングルアクセスモード、ＦＩＦＯ（First In First Out）アクセスモード、マルチアクセスモード、セレクティブアクセスモードの４つがある。
シングルアクセスモードは、アンテナ交信領域内に存在する非接触識別タグは１個であり、複数の非接触識別タグがアンテナの交信領域内にあると交信エラーとなり、交信できなくなる。
【００１８】
ＦＩＦＯアクセスモードは、アンテナの交信領域内に順番に入ってくる非接触識別タグと順番に交信することができる。交信を終了した非接触識別タグにはアクセス禁止処理を行うので、交信終了したタグがアンテナの交信領域内に複数存在しても、新たなタグが１個だけアンテナの交信領域内に入ってくれば交信ができる。同時に非接触識別タグが交信領域内にはいると、交信エラーとなり交信できなくなる。アクセス禁止された非接触識別タグは、交信領域外にでると再び交信が可能となる。
【００１９】
マルチアクセスモードは、アンテナの交信領域内に複数の非接触識別タグが存在しても、全ての非接触識別タグと交信ができる。
セレクティブアクセスモードは、交信領域内にある複数の非接触識別タグのうち、特定の非接触識別タグと交信ができるもので、交信領域内の非接触識別タグに番号を割り当てるコマンドと、割り当てた番号をもとに、特定の非接触識別タグとの交信を行うコマンドで実現される。
【００２０】
また、第３の発明は、第１又は第２の発明において、前記プラグは、前記プラグ差込部から送信された電磁波から当該プラグ駆動用の電力を生成する電力生成手段を備え、前記プラグ差込部は、当該プラグ差込部に接近した前記プラグに電力供給用の電磁波を送信する電力供給用電磁波送信手段を備えることを特徴としている。
【００２１】
つまり、プラグは、電力生成手段によって、前記プラグ差込部から送信された電磁波から当該プラグ駆動用の電力を生成することが可能であり、プラグ差込部は、電力供給用電磁波送信手段によって、当該プラグ差込部に接近した前記プラグに電力供給用の電磁波を送信することが可能である。
従って、プラグ側は、電池等の電源が無くても動作するので、機能部の小型化が可能となる。
【００２２】
また、第４の発明は、第１乃至第３のいずれか１の発明において、前記プラグ状態通知手段は、プラグ状態表示部を有しており、当該プラグ状態表示部への所定情報の表示によって前記システム利用者への前記プラグの前記プラグ差込口に対する状態の通知を行うようになっていることを特徴としている。
つまり、プラグ状態通知手段は、プラグ状態表示部を有しており、当該プラグ状態表示部への所定情報の表示によって前記システム利用者への前記プラグの前記プラグ差込口に対する状態の通知を行うことが可能である。
【００２３】
従って、システム利用者は、プラグが、プラグ差込口に対応しているか否かなどの状態を目視で簡易に知ることが可能である。また、この表示内容（色画像の色等）とプラグ差込口側の表示内容（色画像の色等）とを一致させることで、両者の状態をより簡易に知ることが可能である。また、プラグ状態表示部は、折り曲げが可能なものを利用してプラグに巻きつけるようにするなど、表示が見易いように工夫することが可能である。
【００２４】
また、第５の発明は、第１乃至第４のいずれか１の発明において、前記プラグ状態表示部は、発光素子から成り、当該発光素子の発光状態によって前記システム利用者への前記プラグの前記プラグ差込口に対する状態の通知を行うようになっていることを特徴としている。
つまり、プラグ状態表示部は、発光素子から成り、当該発光素子の発光状態によって前記システム利用者への前記プラグの前記プラグ差込口に対する状態の通知を行うことが可能である。
【００２５】
従って、システム利用者は、プラグが、プラグ差込口に対応しているか否かなどの状態を目視で簡易に知ることが可能となる他、光の色や光の点滅などによって状態を示すようにすることで、暗がりにおいても、目視で簡易に状態を知ることが可能となる。ここで、発光部としては、ＬＥＤ等の適用が考えられる。また、ＬＥＤも、その発光状態が見易くなるように取り付け個数や取り付け位置の工夫が可能である。
【００２６】
また、第６の発明は、第５の発明において、前記プラグの前記プラグ差込口に対する正しい挿入位置を案内可能な当該プラグの特定位置に、前記プラグ状態表示部を配設したことを特徴としている。
つまり、前記プラグの前記プラグ差込口に対する正しい挿入位置を案内可能な当該プラグの特定位置に、前記プラグ状態表示部を配設したので、例えば、ＰＳ２端子、ＵＳＢ（Universal Serial Bus）端子、ビデオ等Ｓ端子などのプラグ及びそのプラグ差込口のように、両者が特定の位置関係にならないと正確に挿入することができない組み合わせのときに、発光部の位置をガイドとして、挿入位置を合わせることが可能となるので、暗がり等でプラグをプラグ挿入口に挿入し易くなる。
【００２７】
また、第７の発明は、第５又は第６の発明において、前記プラグ状態通知手段は、前記プラグの前記プラグ差込口に対する位置に応じて前記発光素子の発光状態を変化させるようになっていることを特徴としている。
つまり、前記プラグ状態通知手段は、前記プラグの前記プラグ差込口に対する位置に応じて前記発光素子の発光状態を変化させることが可能である。
【００２８】
従って、発光素子の発光状態によってプラグがプラグ差込口に対して正確な位置にあるか否かを知らせるようにすることで、プラグ状態表示部の配設位置及びその発光状態により、プラグとプラグ差込口とが正確な位置関係にあるか否かが解るので、暗がり等で、よりプラグをプラグ挿入口に挿入し易くなる。
また、第８の発明は、第１乃至第７のいずれか１の発明において、前記プラグ差込口状態通知手段は、プラグ差込口状態表示部を有しており、当該プラグ差込口状態表示部への所定情報の表示によって前記システム利用者への前記プラグ差込口の当該プラグに対する状態の通知を行うようになっていることを特徴としている。
【００２９】
つまり、プラグ差込口状態通知手段は、プラグ差込口状態表示部を有しており、当該プラグ差込口状態表示部への所定情報の表示によって前記システム利用者への前記プラグ差込口の当該プラグに対する状態の通知を行うことが可能である。
従って、システム利用者は、プラグ差込口が、当該プラグ差込口に接近しているプラグに対応しているか否かなどの状態を目視で簡易に知ることが可能である。また、この表示内容（色画像の色等）とプラグ側の表示内容（色画像の色等）とを一致させることで、両者の状態をより簡易に知ることが可能である。
【００３０】
また、第９の発明は、第１乃至第８のいずれか１の発明において、前記プラグ差込口状態表示部は、発光素子から成り、当該発光素子の発光状態によって前記システム利用者への前記プラグ差込口の当該プラグに対する状態の通知を行うようになっていることを特徴としている。
つまり、プラグ差込口状態表示部は、発光素子から成り、当該発光素子の発光状態によって前記システム利用者への前記プラグ差込口の当該プラグに対する状態の通知を行うことが可能である。
【００３１】
従って、システム利用者は、プラグ差込口が、当該プラグ差込口に接近したプラグに対応しているか否かなどの状態を目視で簡易に知ることが可能となる他、光の色や光の点滅などによって状態を示すようにすることで、暗がりにおいても、目視で簡易に状態を知ることが可能となる。
また、第１０の発明は、第９の発明において、前記プラグを前記プラグ差込口に挿入する時に、当該プラグの正しい挿入位置の案内が可能な前記プラグ差込部の特定位置に、前記プラグ差込口状態表示部を配設したことを特徴としている。
【００３２】
つまり、前記プラグを前記プラグ差込口に挿入する時に、当該プラグの正しい挿入位置の案内が可能な前記プラグ差込部の特定位置に、前記プラグ差込口状態表示部を配設したので、例えば、ＰＳ２端子、ＵＳＢ端子、ビデオ等Ｓ端子などのプラグ及びそのプラグ差込口のように、両者が特定の位置関係にならないと正確に挿入することができない組み合わせのときに、発光部の位置をガイドとして、挿入位置を合わせることが可能となるので、暗がり等でプラグをプラグ挿入口に挿入し易くなる。
【００３３】
また、第１１の発明は、第９又は第１０の発明において、前記プラグ差込部状態通知手段は、前記プラグ差込口に対する前記プラグの位置に応じて前記発光素子の発光状態を変化させるようになっていることを特徴としている。
つまり、前記プラグ差込部状態通知手段は、前記プラグ差込口に対する前記プラグの位置に応じて前記発光素子の発光状態を変化させることが可能である。
【００３４】
従って、発光素子の発光状態によって接近しているプラグがプラグ差込口に対して正確な位置にあるか否かを知らせるようにすることで、プラグ差込口状態表示部の配設位置及びその発光状態により、プラグとプラグ差込口とが正確な位置関係にあるか否かが解るので、暗がり等で、よりプラグをプラグ挿入口に挿入し易くなる。
【００３５】
また、第１２の発明は、第１乃至第１１のいずれか１の発明において、前記第１の識別用情報は、前記プラグ所有者の固有情報を含んでおり、前記プラグ差込部は、前記受信した前記第１の識別用情報に含まれる前記固有情報に基づき当該固有情報の送信元のプラグが当該プラグ差込部の有するプラグ差込口を利用できるか否かを判定する利用可否判定手段を備え、前記応答情報生成手段は、前記利用可否判定手段の判定結果にも基づき前記応答情報を生成するようになっていることを特徴としている。
【００３６】
つまり、第１の識別用情報は、前記プラグ所有者の固有情報を含んでおり、プラグ差込部は、利用可否判定手段によって、受信した前記第１の識別用情報に含まれる前記固有情報に基づき当該固有情報の送信元のプラグが当該プラグ差込部の有するプラグ差込口を利用できるか否かを判定することが可能であり、前記応答情報生成手段は、前記利用可否判定手段の判定結果にも基づき前記応答情報を生成することが可能である。
【００３７】
従って、プラグ所有者の固有情報により、当該プラグのプラグ差込部の利用可否を判定することができるので、利用不可のプラグが挿入された場合に、差込部の機能、あるいは、差込部を有する機器を利用できなくしたり、プラグ所有者を認証して、認証されたときに機器の利用やサービスの提供を行うことなどが可能となる。
【００３８】
また、第１３の発明は、第１の発明に適用可能なプラグであって、当該プラグに対応するプラグ差込口を識別するための情報である第１の識別用情報を記憶する第１の識別用情報記憶手段と、前記プラグ差込部の有するプラグ差込口に接近したときに、当該プラグ差込部に対して前記第１の識別用情報を送信するプラグ差込口情報送信手段と、前記プラグ差込部からの応答情報を受信する応答情報受信手段と、当該応答情報受信手段によって受信した応答情報に基づき当該プラグの前記プラグ差込口に対する状態をシステム利用者に通知するプラグ状態通知手段と、を備えることを特徴としている。
【００３９】
ここで、本発明は、第１の発明に適用可能なプラグであって、その作用効果は重複するので記載を省略する。
また、第１４の発明は、第１の発明に適用可能なプラグ差込部であって、当該プラグ差込部の有するプラグ差込口に対応する前記プラグを識別するための情報である第２の識別用情報を記憶する第２の識別用情報記憶手段と、前記プラグから送信された前記第１の識別用情報を受信する第１の識別用情報受信手段と、当該第１の識別用情報受信手段によって受信した前記第１の識別用情報と前記第２の識別用情報とを比較する識別用情報比較手段と、当該識別用情報比較手段の比較結果に基づき前記プラグへの応答情報を生成する応答情報生成手段と、当該応答情報生成手段によって生成された前記応答情報を前記プラグに送信する応答情報送信手段と、前記応答情報に基づき、前記プラグ差込口の当該プラグに対する状態を前記システム利用者に通知するプラグ差込口状態通知手段と、を備えることを特徴としている。
【００４０】
ここで、本発明は、第１の発明に適用可能なプラグ差込部であって、その作用効果は重複するので記載を省略する。
また、第１５の発明は、第１３の発明を制御するためのプログラムであって、前記プラグ差込部の有するプラグ差込口に接近したときに、当該プラグ差込部に対して前記第１の識別用情報を送信するプラグ差込口情報送信ステップと、前記プラグ差込部からの応答情報を受信する応答情報受信ステップと、当該応答情報受信ステップにおいて受信した応答情報に基づき当該プラグの前記プラグ差込口に対する状態をシステム利用者に通知するプラグ状態通知ステップと、を備えることを特徴としている。
【００４１】
ここで、本発明は、第１３の発明を制御するためのプログラムであり、その効果は重複するので記載を省略する。
また、第１６の発明は、第２の発明における前記非接触識別タグを制御するためのプログラムであって、前記プラグが前記プラグ差込部の有するプラグ差込口に接近したときに、当該プラグ差込部に対して前記第１の識別用情報を送信するプラグ差込口情報送信ステップと、前記プラグ差込部からの応答情報を受信する応答情報受信ステップと、当該応答情報受信ステップにおいて受信した応答情報に基づき当該プラグの前記プラグ差込口に対する状態をシステム利用者に通知するプラグ状態通知ステップと、を備えることを特徴としている。
【００４２】
ここで、本発明は、第２の発明における非接触識別タグを制御するためのプログラムであり、その効果は重複するので記載を省略する。
また、第１７の発明は、第１４の発明を制御するためのプログラムであって、前記プラグから送信された前記第１の識別用情報を受信するプラグ差込口情報受信ステップと、当該プラグ差込口情報受信ステップにおいて受信した前記第１の識別用情報と前記第２の識別用情報とを比較するプラグ差込口情報比較ステップと、当該プラグ差込口情報比較ステップの比較結果に基づき前記プラグへの応答情報を生成する応答情報生成ステップと、当該応答情報生成ステップにおいて生成された前記応答情報を前記プラグに送信する応答情報送信ステップと、前記応答情報に基づき、前記プラグ差込口の当該プラグに対する状態を前記システム利用者に通知するプラグ差込口状態通知ステップと、を備えることを特徴としている。
【００４３】
ここで、本発明は、第１４の発明を制御するためのプログラムであり、その効果は重複するので記載を省略する。
本発明は更に以下の態様を採り得る。
（１）非接触識別タグを備え、
当該非接触識別タグが、当該プラグに対応するプラグ差込口を識別するための情報である第１の識別用情報を記憶する第１の識別用情報記憶手段と、前記プラグ差込部の有するプラグ差込口に接近したときに、当該プラグ差込部に対して前記第１の識別用情報を送信するプラグ差込口情報送信手段と、前記プラグ差込部からの応答情報を受信する応答情報受信手段と、当該応答情報受信手段によって受信した応答情報に基づき当該プラグの前記プラグ差込口に対する状態をシステム利用者に通知するプラグ状態通知手段と、を備えることを特徴とする第１３の発明に記載のプラグ。
【００４４】
（２）前記プラグ差込部から送信された電磁波から当該プラグ駆動用の電力を生成する電力生成手段を備えることを特徴とする第１３の発明又は（１）記載のプラグ。
（３）前記プラグ状態通知手段は、プラグ状態表示部を有しており、当該プラグ状態表示部への所定情報の表示によって前記システム利用者への前記プラグの前記プラグ差込口に対する状態の通知を行うようになっていることを特徴とする第１３の発明、（１）及び（２）のいずれか１に記載のプラグ。
【００４５】
（４）前記プラグ状態表示部は、発光素子から成り、当該発光素子の発光状態によって前記システム利用者への前記プラグの前記プラグ差込口に対する状態の通知を行うようになっていることを特徴とする第１３の発明、（１）乃至（３）のいずれか１に記載のプラグ。
（５）前記プラグの前記プラグ差込口に対する正しい挿入位置を案内可能な当該プラグの特定位置に、前記プラグ状態表示部を配設したことを特徴とする（４）記載のプラグ。
【００４６】
（６）前記プラグ状態通知手段は、前記プラグの前記プラグ差込口に対する位置に応じて前記発光素子の発光状態を変化させるようになっていることを特徴とする（４）又は（５）記載のプラグ。
（７）前記第１の識別用情報は、前記プラグ所有者の固有情報を含むことを特徴とする第１３の発明、（１）乃至（６）のいずれか１に記載のプラグ。
【００４７】
（８）当該プラグ差込部に接近した前記プラグに電力供給用の電磁波を送信する電力供給用電磁波送信手段を備えることを特徴とする第１４の発明に記載のプラグ差込部。
（９）前記プラグ差込口状態通知手段は、表示部を有しており、当該表示部への所定情報の表示によって前記システム利用者への前記プラグ差込口の当該プラグに対する状態の通知を行うようになっていることを特徴とする第１４の発明又は（８）記載のプラグ差込部。
【００４８】
（１０）前記プラグ差込口状態通知手段は、プラグ差込口状態表示部を有しており、当該プラグ差込口状態表示部への所定情報の表示によって前記システム利用者への前記プラグ差込口の当該プラグに対する状態の通知を行うようになっていることを特徴とする第１４の発明、（８）及び（９）のいずれか１に記載のプラグ差込部。
【００４９】
（１１）前記プラグ差込口状態表示部は、発光素子から成り、当該発光素子の発光状態によって前記システム利用者への前記プラグ差込口の当該プラグに対する状態の通知を行うようになっていることを特徴とする（１０）記載のプラグ差込部。
（１２）前記プラグを前記プラグ差込口に挿入する時に、当該プラグの正しい挿入位置の案内が可能な前記プラグ差込部の特定位置に、前記プラグ差込口状態表示部を配設したことを特徴とする（１０）又は（１１）記載のプラグ差込部。
【００５０】
（１３）前記プラグ差込部状態通知手段は、前記プラグ差込口に対する前記プラグの位置に応じて前記発光素子の発光状態を変化させるようになっていることを特徴とする（１０）乃至（１２）のいずれか１に記載のプラグ差込部。
（１４）前記プラグから受信した前記第１の識別用情報に含まれる前記固有情報に基づき当該固有情報の送信元のプラグが当該プラグ差込部の有するプラグ差込口を利用できるか否かを判定する利用可否判定手段を備え、前記応答情報生成手段は、前記利用可否判定手段の判定結果にも基づき前記応答情報を生成するようになっていることを特徴とする第１４の発明、（８）乃至（１３）のいずれか１に記載のプラグ差込部。
【発明を実施するための最良の形態】
【００５１】
以下、本発明の実施の形態を図面に基づいて説明する。図１乃至図７は、本発明に係るプラグ誤挿入防止システムの実施の形態を示す図である。
まず、本発明に係るプラグ誤挿入防止システムの構成を図１に基づいて説明する。図１は、本発明に係るプラグ誤挿入防止システムの概要を示す図である。
【００５２】
プラグ誤挿入防止システム１は、機器４にケーブルを介して取り付けられたプラグ２と、機器５の背面に取り付けられたプラグ差込部３と、を含んだ構成となっている。
プラグ２は、前記プラグ差込部３の有する後述する第１〜第３の挿入口３ｇ〜３ｉに挿入することで機器４と機器５とを電気的に接続する接続部を有したもので、更に、誤った挿入口に挿入されないように、そのことを使用者に通知する機能を有したものである。なお、詳細は後述する。
【００５３】
プラグ差込部３は、第１〜第３の挿入口３ｇ〜３ｉを有しており、当該第１〜第３の挿入口３ｇ〜３ｉにプラグ２が挿入されることで機器５と機器４とを電気的に接続するものである。更に、第１〜第３の挿入口３ｇ〜３ｉに誤ったプラグ２が差し込まれないように、そのことを使用者に通知する機能を有したものである。なお、詳細は後述する。
【００５４】
機器４は、プラグ２を介して機器５に接続して用いられるもので、例えば、機器５がＰＣ（Personal Computer）であれば、キーボードやマウスなどのデバイスが考えられる。
機器５は、例えば、ＰＣ、オーディオ、ビデオプレイヤ、ＤＶＤプレイヤ、ＴＶなどのプラグ差込部３を有した電気機器であり、ＡＶケーブル、ＬＡＮケーブル等のプラグ２を有するケーブルを介して様々な電気機器が接続可能なものである。
【００５５】
更に、図２に基づき、プラグ２の詳細な構成を説明する。図２は、プラグ２の詳細構成を示すブロック図である。
図２に示すように、プラグ２は、非接触識別タグ２０と、接続部２１と、を含んだ構成となっている。
非接触識別タグ２０は、データ受信部２０ａと、データ送信部２０ｂと、データ制御部２０ｃと、データ記憶部２０ｄと、第１の状態通知部２０ｅと、表示部２０ｆと、電力生成部２０ｇと、を含んだ構成となっている。
【００５６】
データ受信部２０ａは、プラグ差込部３から１３．５６ＭＨｚ帯の電磁波を利用して送信されたデータを、電磁誘導方式により受信する機能を備えるものである。
データ送信部２０ｂは、データ記憶部２０ｄに記憶された所定データを、電磁誘導方式によって、１３．５６ＭＨｚ帯の電磁波を利用してプラグ差込部３に送信する機能を備えるものである。
【００５７】
データ制御部２０ｃは、データ受信部２０ａによるデータの受信処理と、データ送信部２０ｂによるデータの送信処理と、を制御する。更に、プラグ差込部３からの受信データを解析して解析結果を第１の状態通知部２０ｅに伝送したり、あるいは、データ記憶部２０ｄに記憶された対応するデータを読み出して第１の状態通知部２０ｅに伝送したりする。本実施の形態においては、プラグ差込部３からの応答要求コマンド信号に応じて、データ記憶部２０ｄに記憶された識別情報及び対応する差込口の情報をプラグ差込部３に送信する。
【００５８】
データ記憶部２０ｄは、フラッシュメモリ等の不揮発性の半導体メモリであり、一度記憶したデータを電力の供給無しに保持するものである。なお、データ記憶部２０ｄの保護領域（データ書換え不可能な領域）には、それぞれの非接触識別タグ２０毎に対応する挿入口の情報や当該非接触識別タグ２０毎に固有の識別情報等、動作に必要なデータが記憶されている。
【００５９】
第１の状態通知部２０ｅは、データ受信部２０ａを介して、プラグ差込部３から受信した応答情報に基づき、当該応答内容に応じた制御命令を表示部２０ｆに伝送するものである。
表示部２０ｆは、複数の発光素子から成り、第１の状態通知部２０ｅからの制御命令に基づき前記発光素子を発光させることで、プラグ２のプラグ差込部３の後述する第１〜第３の挿入口３ｊ〜３ｌの状態を使用者に通知するものである。
例えば、プラグ２が対応した挿入口を有するプラグ差込部に接近したときは、発光素子を見た目が青色となるように発光させ、対応していない挿入口を有するプラグ差込部に接近したときは、発光素子を見た目が赤色となるように発光させる。また、発光素子を点滅等させることも可能である。
【００６０】
電力生成部２０ｇは、プラグ差込部３からアンテナ２０ｈを介して受信したデータ信号の搬送波から、非接触識別タグ２０における、上記２０ａ〜２０ｆの各部を駆動するための電力を生成し、これらを供給するものである。
アンテナ２０ｈは、非接触識別タグ２０の基材上に金属インク等により形成されるもので、１３．５６ＭＨｚ帯の電磁波を送受信することが可能なものである。
【００６１】
更に、図３に基づき、プラグ差込部３の詳細な構成を説明する。図３は、プラグ差込部３の詳細構成を示すブロック図である。
図３に示すように、プラグ差込部３は、データ受信部３ａと、データ送信部３ｂと、データ制御部３ｃと、データ記憶部３ｄと、応答情報生成部３ｅと、第２の状態通知部３ｆと、第１〜第３の表示部３ｇ〜３ｉと、第１〜第３の挿入口３ｊ〜３ｌと、を含んだ構成となっている。
【００６２】
データ受信部３ａは、プラグ２から送信されたデータを電磁誘導方式によって受信する機能を有したものである。
データ送信部３ｂは、電磁誘導方式によって、プラグ２に所定データを送信する機能を有したものである。
データ制御部３ｃは、図示しないＣＰＵ（Central Processing Unit）によって、データ記憶部３ｄに記憶された制御プログラムを実行することにより、プラグ差込部３の各部の動作を統括制御するものである。その制御内容としては、まず、プラグ２からのデータの受信や、プラグ２へのデータの送信などの、データ受信部３ａ及びデータ送信部３ｂを用いた電磁誘導方式によるデータ通信処理の制御がある。更に、プラグ２から受信したデータを応答情報生成部３ｅに伝送する処理の制御がある。
【００６３】
データ記憶部３ｄは、制御プログラムを記憶する他、プラグ２から受信したデータを記憶したり、データ制御部３ｃ、応答情報生成部３ｅ、第２の状態通知部３ｆなどの各部の処理に用いるデータを記憶するものである。
応答情報生成部３ｅは、プラグ２から受信した対応する挿入口の情報に基づき、プラグ差込部３が当該情報に対応する挿入口を有しているか否かを判定し、その判定結果に基づきプラグ２への応答情報を生成するものである。
【００６４】
第２の状態通知部３ｆは、応答情報生成部３ｅにおいて生成された応答情報に基づき、第１〜第３の表示部３ｇ〜３ｉに対する発光命令を生成し、伝送するものである。
第１〜第３の表示部３ｇ〜３ｉは、複数の発光素子から成り、第２の状態通知部３ｆにおいて生成された発光命令に基づき発光素子を発光させることで、プラグ２に対する第１〜第３の挿入口３ｊ〜３ｌの状態を使用者に通知するものである。例えば、プラグ２が対応した挿入口に接近したときは、発光素子を見た目が青色となるように発光させ、対応していない挿入口に接近したときは、発光素子を見た目が赤色となるように発光させる。また、発光素子を点滅等させることも可能である。つまり、本実施の形態では、第１〜第３の表示部３ｇ〜３ｉは、プラグ２の表示部２０ｆと同色に発光素子が発光するようになっている。
【００６５】
更に、図４に基づき、本システム１のより具体的な動作を説明する。図４（ａ）は、プラグ誤挿入防止システム１の第１の実施の形態を示す図であり、図４（ｂ）は、プラグ誤挿入防止システム１の第２の実施の形態を示す図である。
まず、図４（ａ）に示す第１の実施の形態を説明する。図４（ａ）に示すように、第１の実施の形態におけるプラグ誤挿入防止システム１は、本体に表示部２０ｆが巻き付けられたプラグ２と、同型の３つの挿入口を有するプラグ差込部３と、を含んだ構成となっている。
【００６６】
まず、プラグ２の使用者が、プラグ差込部３に対して当該プラグ２を近づけることで、プラグ２は、プラグ差込部３から応答要求信号を受信することになる。
ここで、本実施の形態においては、プラグ差込部３は、データ制御部３ｃによって、データ送信部３ｂを介して応答要求信号を所定周期で送信している。非接触識別タグ２０のアンテナ２０ｈにより、プラグ差込部３からの応答要求信号を受信したプラグ２では、電力生成部２０ｇにおいて、この応答要求信号の搬送波から駆動用の電力を生成して、これを当該非接触識別タグ２０の各部に供給する。これにより、電力の供給されたデータ受信部２０ａによって受信信号を復調して応答要求を抽出し、この応答要求に応じてデータ制御部２０ｃによって、データ記憶部２０ｄから当該プラグ２を挿入可能な差込口を識別するための情報（差込口の型番等）を読み出し、データ送信部２０ｂを介して、プラグ差込部３に送信する。
一方、プラグ差込部３は、プラグ２からデータ受信部３ａを介して上記識別用情報を受信すると、データ制御部３ｃにおいて、データ記憶部３ｄから当該プラグ差込部３の有する挿入口の情報を読み出し、前記識別用情報と共に、応答情報生成部３ｅに伝送する。応答情報生成部３ｅでは、取得した識別用情報及び挿入口の情報に基づきプラグ２が挿入口を利用可能か否かを判定し、この判定結果を含む応答情報を生成して、これを、データ制御部３ｃ及び第２の状態通知部３ｆに伝送する。
【００６７】
データ制御部３ｃは、応答情報生成部３ｅから応答情報を受け取ると、これをデータ送信部３ｂを介してプラグ２に送信する。また、第２の状態通知部３ｆでは、応答情報生成部３ｅから応答情報を受け取ると、この応答情報に含まれる判定結果に基づき、第１〜第３の挿入口３ｊ〜３ｌにそれぞれ対応した第１〜第３の表示部３ｇ〜３ｉに対して、その表示を制御する制御命令を生成して伝送する。第１〜第３の表示部３ｇ〜３ｉは、第２の状態通知部３ｆから受け取った制御命令に応じて、発光素子を所定色に点灯して、各挿入口３ｊ〜３ｌの状態を使用者に通知する。例えば、応答情報から挿入口３ｋがプラグ２に対応した挿入口であることが解ると、まず、第２の状態通知部３ｆは、挿入口３ｋに対応した第２の表示部３ｈが青色となるように、その発光素子を点灯させる制御命令を生成し、これを第２の表示部３ｈに伝送する。そして、第２の状態通知部３ｆは、第１の挿入口３ｊに対応した第１の表示部３ｇ及び第３の挿入口３ｌに対応した第３の表示部３ｉに対して、これら表示部３ｇ、３ｉが赤色となるように、その発光素子を点灯させる制御命令を生成し伝送する。つまり、これら制御命令によって、第１の表示部３ｇ及び第３の表示部３ｉは赤色に点灯し、第２の表示部３ｈは青色に点灯する。なお、本実施の形態において、プラグ差込部３にプラグ２に対応する挿入口が無かったときは、表示部３ｇ〜３ｉを全て赤色に点灯する。
【００６８】
また、プラグ差込部３から、応答情報を含む応答情報信号をアンテナ２０ｈにより受信したプラグ２の非接触識別タグ２０は、上記応答要求信号の受信時と同様に、電力生成部２０ｇにおいて前記受信した応答情報信号の搬送波から駆動用の電力を生成して各部に供給する。これにより電力の供給されたデータ受信部２０ａは、受信信号を復調して応答情報を抽出し、データ制御部２０ｃに伝送する。そして、データ制御部２０ｃは、データ受信部２０ａから取得した応答情報を第１の状態通知部２０ｅに伝送する。
【００６９】
第１の状態通知部２０ｅは、データ制御部２０ｃから応答情報を受け取ると、この応答情報に基づき、表示部２０ｆに対して、その表示を制御する制御命令を生成して伝送する。表示部２０ｆは、第１の状態通知部２０ｅから制御命令を受け取ると、この命令内容に基づき、当該表示部２０ｆを構成する発光素子を所定色に点灯させる。ここで、本実施の形態において、第１の状態通知部２０ｅは、プラグ差込部３にプラグ２に対応する挿入口があるときは、表示部２０ｆが青色となるように発光素子を点灯させる制御命令を生成して、これを当該表示部２０ｆに伝送し、一方、プラグ差込部３にプラグ２に対応する挿入口が無かったときは、表示部２０ｆが赤色となるように発光素子を点灯させる制御命令を生成して、これを当該表示部２０ｆに伝送する。従って、表示部２０ｆは、プラグ差込部３にプラグ２に対応する挿入口があるときは青色に点灯し、対応する挿入口が無かったときは赤色に点灯する。
【００７０】
最終的に、プラグ２の使用者は、当該プラグ２の表示部２０ｆの表示内容と、プラグ差込部３における第１〜第３の表示部３ｇ〜３ｉの表示内容とを見比べて、表示部が青色に点灯している挿入口を選択して、そこにプラグ２の接続部２１を挿入することになる。
更に、図４（ｂ）に基づき、プラグ誤挿入防止システム１の第２の実施の形態を説明する。
【００７１】
図４（ｂ）に示すように、第２の実施の形態におけるプラグ誤挿入防止システム１は、それぞれ形状の異なる（特に接続部２１の形状の異なる）第１〜第３のプラグ２ａ〜２ｃと、それぞれ形状の異なる第１〜第３の挿入口３ｊ〜３ｌを有するプラグ差込部３と、を含んだ構成となっている。ここで、第１〜第３のプラグ２ａ〜２ｃは、外部形状や接続部２１の形状が異なるだけで、上記第１の実施の形態におけるプラグ２と同様の構成をしている。
【００７２】
上記第１の実施の形態と同様に、第１〜第３のプラグ２ａ〜２ｃの使用者が、プラグ差込部３に対して当該第１〜第３のプラグ２ａ〜２ｃのいずれかを近づけることで、第１〜第３のプラグ２ａ〜２ｃは、プラグ差込部３から応答要求信号を受信することになる。
まず、第１のプラグ２ａを近づけた場合を説明する。第１のプラグ２ａがプラグ差込部３に近づくと、第１のプラグ２ａは、プラグ差込部３から応答要求信号を受信することになる。この応答要求信号は、上記第１の実施の形態と同様に、第１のプラグ２ａにおける非接触識別タグ２０のアンテナ２０ｈにおいて受信される。これにより非接触識別タグ２０の電力生成部２０ｇにおいて、受信信号の搬送波から駆動用電力が生成され、当該非接触識別タグ２０の各部に供給される。これにより、電力の供給されたデータ受信部２０ａによって受信信号を復調して応答要求を抽出し、この応答要求に応じてデータ制御部２０ｃによって、データ記憶部２０ｄから当該第１のプラグ２ａを挿入可能な差込口を識別するための情報（差込口の型番等）を読み出し、データ送信部２０ｂを介して、プラグ差込部３に送信する。
【００７３】
一方、プラグ差込部３は、第１のプラグ２ａからデータ受信部３ａを介して上記識別用情報を受信すると、データ制御部３ｃにおいて、データ記憶部３ｄから当該プラグ差込部３の有する挿入口の情報を読み出し、前記識別用情報と共に、応答情報生成部３ｅに伝送する。応答情報生成部３ｅでは、取得した識別用情報及び挿入口の情報に基づき第１のプラグ２ａが挿入口を利用可能か否かを判定し、この判定結果を含む応答情報を生成して、これを、データ制御部３ｃ及び第２の状態通知部３ｆに伝送する。ここでは、プラグ２ａに対応した挿入口として第１の挿入口３ｊがあるので、第１の挿入口３ｊが利用可能であると判定され、この判定結果を含む応答情報が生成される。
【００７４】
データ制御部３ｃは、応答情報生成部３ｅから応答情報を受け取ると、これをデータ送信部３ｂを介してプラグ２ａに送信する。また、第２の状態通知部３ｆでは、応答情報生成部３ｅから応答情報を受け取ると、この応答情報に含まれる判定結果に基づき、第１〜第３の挿入口３ｊ〜３ｌにそれぞれ対応した第１〜第３の表示部３ｇ〜３ｉに対して、その表示を制御する制御命令を生成して伝送する。この場合、第２の状態通知部３ｆは、第１の表示部３ｇを青色に点灯させ、第２及び第３の表示部３ｈ及び３ｉを赤色に点灯させるように制御命令を生成して、それぞれの表示部に伝送する。
【００７５】
そして、第１〜第３の表示部３ｇ〜３ｉは、第２の状態通知部３ｆから受け取った制御命令に応じて、発光素子を点灯して、各挿入口３ｊ〜３ｌの状態を使用者に通知する。ここでは、第１のプラグ２ａに対応した挿入口である挿入口３ｊに対応した第１の表示部３ｇが青色に点灯することになり、第２の挿入口３ｋに対応した第２の表示部３ｈ及び第３の挿入口３ｌに対応した第３の表示部３ｉが赤色に点灯することになる。
【００７６】
また、プラグ差込部３から、応答情報を含む応答情報信号をアンテナ２０ｈにより受信した第１のプラグ２ａの非接触識別タグ２０は、上記応答要求信号の受信時と同様に、電力生成部２０ｇにおいて前記受信した応答情報信号の搬送波から駆動用の電力を生成して各部に供給する。これにより電力の供給されたデータ受信部２０ａは、受信信号を復調して応答情報を抽出し、データ制御部２０ｃに伝送する。そして、データ制御部２０ｃは、データ受信部２０ａから取得した応答情報を第１の状態通知部２０ｅに伝送する。
【００７７】
第１の状態通知部２０ｅは、データ制御部２０ｃから応答情報を受け取ると、この応答情報に基づき、表示部２０ｆに対して、発光素子を青色に点灯するように制御命令を生成し伝送する。表示部２０ｆは、第１の状態通知部２０ｅから前記制御命令を受け取ると、この命令内容に基づき、当該表示部２０ｆを構成する発光素子を青色に点灯させる。
【００７８】
最終的に、第１のプラグ２ａの使用者は、当該第１のプラグ２ａの表示部２０ｆの表示内容（青色に点灯）と、プラグ差込部３における第１〜第３の表示部３ｇ〜３ｉの表示内容とを見比べて、表示部が青色に点灯している第１の挿入口３ｊを選択して、そこに第１のプラグ２ａの接続部２１を挿入することになる。なお、プラグ２ａにおける表示部２０ｆは、接続部２１の４つあるピンの各位置に合わせて４箇所に分かれて配設されており、更に、プラグ差込部３における第１の挿入口３ｊに対応した第１の表示部３ｇは、前記第１のプラグ２ａの各ピンに対応した４つあるピン挿入口の各位置に合わせて表示部が４箇所に分かれて配設されている。従って、第１のプラグ２ａの使用者は、当該第１のプラグ２ａと第１の挿入口３ｊの各表示部同士の位置を合わせることにより、第１のプラグ２ａを第１の挿入口３ｊの正しい位置に導くことができ、簡易に、第１のプラグ２ａの接続部２１を第１の挿入口３ｊに挿入することが可能である。
【００７９】
また、第２のプラグ２ｂをプラグ差込部３に接近させた場合は、上記第１のプラグ２ａと同様の処理を行い、第２のプラグ２ｂは、表示部２０ｆを青色に点灯し、プラグ差込部３は、第２のプラグ２ｂに対応した第２の挿入口３ｋに対応した第２の表示部３ｈを青色に点灯し、その他の挿入口に対応した第１の表示部３ｇ及び第３の表示部３ｉを赤色に点灯する。
【００８０】
そして、最終的に第２のプラグ２ｂの使用者は、当該第２のプラグ２ｂの表示部２０ｆの表示内容（青色に点灯）と、プラグ差込部３における第１〜第３の表示部３ｇ〜３ｉの表示内容とを見比べて、表示部が青色に点灯している第２の挿入口３ｋを選択して、そこに第２のプラグ２ｂの接続部２１を挿入することになる。ここで、図４（ｂ）に示すように、第２の挿入口３ｋは２つ存在するが、本実施の形態においては、第２のプラグ２ｂはこのどちらにも対応しており、どちらに挿入しても問題無いとする。なお、第２のプラグ２ｂにおける表示部２０ｆは、図４（ｂ）に示す位置に配設されており、更に、プラグ差込部３における第２の挿入口３ｋに対応した第２の表示部３ｈは、前記プラグ２ｂの表示部２０ｆに対応する位置に配設されている。従って、第２のプラグ２ｂの使用者は、当該第２のプラグ２ｂと第２の挿入口３ｋの各表示部同士の位置を合わせることにより、第２のプラグ２ｂを第２の挿入口３ｋの正しい位置に導くことができ、簡易に、第２のプラグ２ｂの接続部２１を第２の挿入口３ｋに挿入することが可能である。
【００８１】
また、第３のプラグ２ｃをプラグ差込部３に接近させた場合は、上記第１及び第２のプラグ２ａ及び２ｂと同様の処理を行い、第３のプラグ２ｃは、表示部２０ｆを青色に点灯し、プラグ差込部３は、第３のプラグ２ｃに対応した第３の挿入口３ｌに対応した第３の表示部３ｉを青色に点灯し、その他の挿入口に対応した第１の表示部３ｇ及び第２の表示部３ｈを赤色に点灯する。
【００８２】
そして、最終的に第３のプラグ２ｃの使用者は、当該第３のプラグ２ｃの表示部２０ｆの表示内容（青色に点灯）と、プラグ差込部３における第１〜第３の表示部３ｇ〜３ｉの表示内容とを見比べて、表示部が青色に点灯している第３の挿入口３ｌを選択して、そこに第３のプラグ２ｃの接続部２１を挿入することになる。なお、第３のプラグ２ｃにおける表示部２０ｆは、図４（ｂ）に示す位置に配設されており、更に、プラグ差込部３における第３の挿入口３ｌに対応した第３の表示部３ｉは、前記第３のプラグ２ｃの表示部２０ｆに対応する位置に配設されている。従って、第３のプラグ２ｃの使用者は、当該第３のプラグ２ｃと第３の挿入口３ｌの各表示部同士の位置を合わせることにより、第３のプラグ２ｃを第３の挿入口３ｌの正しい位置に導くことができ、簡易に、第３のプラグ２ｃの接続部２１を第３の挿入口３ｌに挿入することが可能である。
【００８３】
更に、上記プラグ誤挿入防止システム１の第１の実施の形態及び第２の実施の形態において、プラグ２側に使用者固有の識別情報を持たせ、プラグ差込部３からの応答要求に対してこの識別情報を上記した識別用情報に含めて返信するプラグ誤挿入防止システム１の第３の実施の形態を説明する。
まず、プラグ差込部３のデータ記憶部３ｄに、予め利用可能な使用者の識別情報を全て記憶しておく。そして、応答情報生成部３ｅにおいて、プラグ２から受信した識別用情報に含まれる、プラグ２に対応する挿入口の情報及び前記使用者固有の識別情報に基づき応答情報を生成する。このとき、プラグ２に対応した挿入口があるか否かを判定するのに加え、前記使用者固有の識別情報がデータ記憶部３ｄに記憶された利用可能な識別情報の中に存在するか否かを判定する。この判定結果に基づき、受信した識別情報が利用可能であり、且つ、プラグ差込部３にプラグ２に対応した挿入口があるときは、対応する挿入口の表示部を青色に点灯させる。一方、受信した識別情報が利用不可能であったときは、例え規格的には挿入可能なプラグ２に対応する挿入口があったとしても、プラグ差込部３側にある挿入口の表示部を全て赤色に点灯させ、且つ、プラグ２に返信する応答情報にも、当該プラグ２に利用可能な挿入口が無いことを示す情報を含ませて送信する。
【００８４】
従って、プラグ差込部３側で利用不可能と判断されたときは、プラグ２側の表示部２０ｆも必ず赤色に点灯することになる。なお、プラグ差込部３側に、プラグ２から受信した識別情報が利用不可能なものであったときに、そのプラグ２の挿入に対して電気的接続を切断する手段を備えるようにすることで、利用不可能なプラグ２が挿入された場合でも挿入口の利用を物理的に防止することが可能である。
【００８５】
更に、図５に基づき、プラグ２における電力供給後の応答要求に対する動作処理の流れを説明する。図５は、プラグ２における電力供給後の応答要求に対する動作処理を示すフローチャートである。
図５に示すように、まずステップＳ５００に移行し、プラグ差込部３から応答要求信号を受信してステップＳ５０２に移行する。
【００８６】
ステップＳ５０２では、データ制御部２０ｃは、データ記憶部２０ｄから識別用情報を読み出してステップＳ５０４に移行する。
ステップＳ５０４では、データ制御部２０ｃは、データ送信部２０ｂ及びアンテナ２０ｈを介して前記読み出した識別用情報をプラグ差込部３に送信して処理を終了する。
【００８７】
更に、図６に基づき、プラグ差込部３の動作処理の流れを説明する。図６は、プラグ差込部３の動作処理を示すフローチャートである。
図６に示すように、まずステップＳ６００に移行し、データ制御部３ｃは、応答要求信号をデータ送信部３ｂを介してプラグ２に対して送信してステップＳ６０２に移行する。
【００８８】
ステップＳ６０２では、データ制御部３ｃにおいて、プラグ２から識別用情報を受信したか否かを判定し、受信したと判定された場合（Ｙｅｓ）はステップＳ６０４に移行し、そうでない場合（Ｎｏ）はステップＳ６１６に移行する。
ステップＳ６０４に移行した場合は、応答情報生成部３ｅにおいて、プラグ２から受信した識別用情報を解析してステップＳ６０６に移行する。ここで、解析は、上記第１及び第２の実施の形態においては、プラグ２から受信した当該プラグ２に対応した挿入口の情報を含む識別用情報とプラグ差込部３側の有する挿入口の情報とを比較して、プラグ２に対応する挿入口があるか否かを判定する。また、上記第３の実施の形態においては、前記第１及び第２の実施の形態における判定に加え、更に、プラグ２から受信した使用者の識別情報とプラグ差込部３の有する利用可能な使用者の識別情報リストとを比較して、プラグ２の使用者が利用可能か否かを判定する。
【００８９】
ステップＳ６０６では、応答情報生成部３ｅにおいて、上記解析結果に基づき応答情報を生成してステップＳ６０８に移行する。
ステップＳ６０８では、データ制御部３ｃによって、上記生成された応答情報を、データ送信部３ｂを介してプラグ２に送信し、更に、第２の状態通知部３ｆに伝送してステップＳ６１０に移行する。
【００９０】
ステップＳ６１０では、第２の状態通知部３ｆにおいて、取得した応答情報に基づき、第１〜第３の表示部３ｇ〜３ｉの表示を制御する制御命令を生成してステップＳ６１２に移行する。
ステップＳ６１２では、第２の状態通知部３ｆは、上記生成した制御命令を第１〜第３の表示部３ｇ〜３ｉに伝送してステップＳ６１４に移行する。
【００９１】
ステップＳ６１４では、第１〜第３の表示部３ｇ〜３ｉは、取得した制御命令に応じて、表示部を所定色に表示してステップＳ６００に移行する。
また、Ｓ６０２において識別用情報の受信がなくステップＳ６１６に移行した場合は、データ制御部３ｃにおいて、所定時間が経過したか否かを判定し、所定時間が経過したと判定された場合（Ｙｅｓ）はステップＳ６００に移行し、そうでない場合（Ｎｏ）はステップＳ６０２に移行する。
【００９２】
更に、図７に基づき、プラグ２における電力供給後のプラグ差込部３からの応答情報に対する動作処理の流れを説明する。図７は、プラグ２における電力供給後のプラグ差込部３からの応答情報に対する動作処理を示すフローチャートである。
図７に示すように、まずステップＳ７００に移行し、データ制御部３ｃは、プラグ差込部３からの応答情報をデータ受信部２０ａを介して受信すると、これを第１の状態通知部２０ｅに伝送してステップＳ７０２に移行する。
【００９３】
ステップＳ７０２では、第１の状態通知部２０ｅにおいて、データ制御部２０ｃから受け取った応答情報を解析してステップＳ７０４に移行する。
ステップＳ７０４では、第１の状態通知部２０ｅにおいて、前記解析結果に基づき表示部２０ｆの表示を制御する制御命令を生成してステップＳ７０６に移行する。
【００９４】
ステップＳ７０６では、第１の状態通知部２０ｆは、前記生成した制御命令を表示部２０ｆに伝送してステップＳ７０８に移行する。
ステップＳ７０８では、表示部２０ｆにおいて、第１の状態通知部２０ｅから取得した制御命令に応じて表示部を所定色くに表示して処理を終了する。
以上、プラグ２がプラグ差込部３に接近することで、そのプラグ差込部３がプラグ２に対応した挿入口を有しているか否かを知ることが可能となるので、プラグ２の使用者が、プラグ２を、誤った挿入口に挿入するのを防ぐことが可能となる。
【００９５】
また、表示部を発光素子により形成し、当該発光素子を発光させることでプラグ差込部３に接近したプラグ２に対応しているか否かなどの状態を表示するようにしたので、プラグ２の使用者は、対応しているか否かを目視で簡易に知ることが可能となる他、発光させるので暗がりにおいても、簡易に状態を知ることが可能となる。
【００９６】
また、プラグ２の表示部とプラグ差込部３の各挿入口に対応した表示部とを、挿入時に位置合わせ可能な位置にそれぞれ設けることで、使用者は、プラグ２の表示部とプラグ差込部３の各挿入口の表示部との位置を合わせることで、簡易に正しい位置関係でプラグ２を挿入することが可能となる。
ここで、図２に示す、データ記憶部２０ｄは、第１、第２及び第１３の発明に記載の第１の識別用情報記憶手段に対応し、第１の状態通知部２０ｅは、第１、第２、第４、第７及び第１３の発明に記載のプラグ状態通知手段に対応し、データ制御部２０ｃによるデータ送信部２０ｂ及びアンテナ２０ｈを介した識別用情報の送信処理は、第１、第２及び第１３の発明に記載のプラグ差込口情報送信手段に対応し、データ制御部２０ｃによるデータ受信部２０ａ及びアンテナ２０ｈを介した応答情報の受信処理は、第１、第２及び第１３の発明に記載の応答情報受信手段に対応し、第１の状態通知部２０ｅ及び表示部２０ｆによるプラグの２の使用者への状態通知処理は、第１、第２、第４、第７及び第１３の発明に記載のプラグ状態通知手段に対応し、電力生成部２０ｇは、第３の発明に記載の電力生成手段に対応し、図３に示す、データ記憶部３ｄは、第１及び第１４の発明に記載の第２の識別用情報記憶手段に対応し、データ制御部３ｃによってデータ受信部３ａを介して行われるプラグ２からの識別用情報の受信処理は、第１及び第１４の発明に記載の第１の識別用情報受信手段に対応し、応答情報生成部３ｅにおける、プラグ２からの識別用情報とプラグ差込部３の有する挿入口の情報との比較判定処理は、第１及び第１４の発明に記載の識別用情報比較手段に対応し、応答情報生成部３ｅにおける応答情報の生成処理は、第１、第１２及び第１４の発明に記載の応答情報生成手段に対応し、データ制御部３ｃによるデータ送信部３ｂを介して行われるプラグ２への応答情報の送信処理は、第１及び第１４の発明に記載の応答情報送信手段に対応し、第２の状態通知部３ｆ及び第１〜第３の表示部３ｇ〜３ｉによる挿入口の使用者への状態通知処理は、第１、第８及び第１４の発明に記載のプラグ差込口状態通知手段に対応し、データ制御部３ｃによるデータ送信部３ｂを介して行われるプラグ２への各種信号の搬送波を用いたデータ送信処理は、第３の発明に記載の電力供給用電磁波送信手段に対応し、第１の挿入口３ｇ〜第３の挿入口３ｉは、第１、第２及び第４〜第１７の発明に記載のプラグ差込口に対応する。
【００９７】
なお、上記実施の形態においては、発光素子の発光によって、プラグ２とプラグ差込部の各挿入口との状態を使用者に通知するようにしているが、これに限らず、電気泳動式表示装置などの他の表示装置や、音声の出力等によって、使用者に状態を通知するようにしても良い。
【図面の簡単な説明】
【００９８】
【図１】本発明に係るプラグ誤挿入防止システムの概要を示す図である。
【図２】プラグ２の詳細構成を示すブロック図である。
【図３】プラグ差込部３の詳細構成を示すブロック図である。
【図４】（ａ）は、プラグ誤挿入防止システム１の第１の実施の形態を示す図であり、（ｂ）は、プラグ誤挿入防止システム１の第２の実施の形態を示す図である。
【図５】プラグ２における電力供給後の応答要求に対する動作処理を示すフローチャートである。
【図６】プラグ差込部３の動作処理を示すフローチャートである。
【図７】プラグ２における電力供給後のプラグ差込部３からの応答情報に対する動作処理を示すフローチャートである。
【符号の説明】
【００９９】
１…プラグ誤挿入防止システム、２…プラグ、２ａ〜２ｃ…第１〜第３のプラグ、３…プラグ差込部、３ａ…データ受信部、３ｂ…データ送信部、３ｃ…データ制御部、３ｄ…データ記憶部、３ｅ…応答情報生成部、３ｆ…第２の状態通知部、３ｇ〜３ｉ…第１〜第３の表示部、３ｊ〜３ｌ…第１〜第３の挿入口、２０…非接触識別タグ、２０ａ…データ受信部、２０ｂ…データ送信部、２０ｃ…データ制御部、２０ｄ…データ記憶部、２０ｅ…第１の状態通知部、２０ｆ…表示部、２０ｇ…電力生成部、２０ｈ…アンテナ、２１…接続部。
【図１】
2008192626.tif 000003
【図２】
2008192626.tif 000004
【図３】
2008192626.tif 000005
【図４】
2008192626.tif 000006
【図５】
2008192626.tif 000007
【図６】
2008192626.tif 000008
【図７】
2008192626.tif 000009
【手続補正書】
【提出日】平成20年5月19日(2008.5.19)
【手続補正１】
【補正対象書類名】特許請求の範囲
【補正対象項目名】全文
【補正方法】変更
【補正の内容】
【特許請求の範囲】
【請求項１】
電磁誘導方式に基づき電力を生成する電力生成部と、
識別用情報を記憶する記憶部と、
送信部と、を含み、
前記電力に基づき前記データ記憶部から前記識別用情報が読み出され、前記識別用情報が前記送信部から送信されるものである、
ことを特徴とする機器。
【請求項２】
請求項１に記載の機器において、
前記電磁誘導方式が２５０ｋＨｚ以下の電磁波を利用するものである、
ことを特徴とする機器。
【請求項３】
請求項１に記載の機器において、
前記電磁誘導方式が１３．５６ＭＨｚ帯の電磁波を利用するものである、
ことを特徴とする機器。
【請求項４】
マイクロ波方式に基づき電力を生成する電力生成部と、
識別用情報を記憶する記憶部と、
送信部と、を含み、
前記電力に基づき前記データ記憶部から前記識別用情報が読み出され、前記識別用情報が前記送信部から送信されるものである、
ことを特徴とする機器。
【請求項５】
請求項４に記載の機器において、
前記マイクロ波方式が２．４５ＧＨｚ帯の電磁波を利用するものである、
ことを特徴とする機器。
【請求項６】
請求項４または５に記載の機器において、
さらに、前記電磁波を受信するアンテナを含む、
ことを特徴とする機器。
【請求項７】
請求項６に記載の機器において、
前記電力に基づき前記電磁波から受信信号を復調し、前記受信信号に基づいて前記識別用情報を読み出すものである、
ことを特徴とする機器。
【請求項８】
請求項７に記載の機器において、さらに、
前記受信信号を復調するデータ受信部と、
前記受信信号に基づいて前記データ記憶部から前記識別用情報の読み出しを行うデータ制御部と、を含む、
ことを特徴とする機器。
【請求項９】
請求項６乃至８のいずれか一項に記載の機器において、
前記アンテナのアクセス方式がシングルアクセスモードである、
ことを特徴とする機器。
【請求項１０】
請求項６乃至８のいずれか一項に記載の機器において、
前記アンテナのアクセス方式がＦＩＦＯアクセスモードである、
ことを特徴とする機器。
【請求項１１】
請求項６乃至８のいずれか一項に記載の機器において、
前記アンテナのアクセス方式がマルチアクセスモードである、
ことを特徴とする機器。
【請求項１２】
請求項６乃至８のいずれか一項に記載の機器において、
前記アンテナのアクセス方式がセレクティブアクセスモードである、
ことを特徴とする機器。
【請求項１３】
電磁結合方式に基づき電力を生成する電力生成部と、
識別用情報を記憶する記憶部と、
送信部と、を含み、
前記電力に基づき前記データ記憶部から前記識別用情報が読み出され、前記識別用情報が前記送信部から送信されるものである、
ことを特徴とする機器。
【請求項１４】
請求項１３に記載の機器において、
前記電磁結合方式がコイルの相互誘導を利用するものである、
ことを特徴とする機器。
【請求項１５】
光方式に基づき電力を生成する電力生成部と、
識別用情報を記憶する記憶部と、
送信部と、を含み、
前記電力に基づき前記データ記憶部から前記識別用情報が読み出され、前記識別用情報が前記送信部から送信されるものである、
ことを特徴とする機器。
【請求項１６】
請求項１５に記載の機器において、
前記光方式が光の空間伝送を利用するものである、
ことを特徴とする機器。
【請求項１７】
請求項１乃至１６のいずれか一項に記載の機器において、
前記データ記憶部が識別情報を記憶するものであり、前記送信部が前記識別用情報とともに前記識別情報を送信することができるものである、
ことを特徴とする機器。  
【請求項１８】
請求項１７に記載の機器において、
前記識別情報が使用者固有の情報である、
ことを特徴とする機器。  
【請求項１９】
請求項１乃至１８のいずれか一項に記載の機器において、さらに、
表示部を含み、前記識別用情報の送信先が接続可能な対象でないとき、前記表示部に通知がなされるものである、
ことを特徴とする機器。  
【請求項２０】
請求項１乃至１８のいずれか一項に記載の機器において、さらに、
表示部を含み、前記識別用情報の送信先が接続可能な対象であるとき、前記表示部に通知がなされるものである、
ことを特徴とする機器。  
【請求項２１】
請求項１９または２０に記載の機器において、
前記通知が発光素子を用いてなされるものである、
ことを特徴とする機器。
【請求項２２】
請求項１９乃至２１のいずれか一項に記載の機器において、
前記通知が前記識別用情報の送信先に近接したときになされるものである、
ことを特徴とする機器。
【請求項２３】
請求項１乃至２２のいずれか一項に記載の機器において、前記識別用情報の送信先が接続可能な対象でないとき、前記識別用情報の送信先との接続が切断されるものである、
ことを特徴とする機器。  
【請求項２４】
請求項１乃至２３のいずれか一項に記載の機器と、
前記識別用情報の送信先となる電気機器と、を含む、
ことを特徴とするシステム。
【請求項２５】
請求項１乃至２３のいずれか一項に記載の機器と、
前記識別用情報の送信先となる電気機器と、を含み、
前記電気機器が、前記識別用情報を判断し、前記機器に応答情報を送信するものである、
ことを特徴とするシステム。
【手続補正３】
【補正対象書類名】明細書
【補正対象項目名】０００６
【補正方法】変更
【補正の内容】
【０００６】
本発明に係る機器の態様のひとつは、電磁誘導方式に基づき電力を生成する電力生成部と、識別用情報を記憶する記憶部と、送信部と、を含み、前記電力に基づき前記データ記憶部から前記識別用情報が読み出され、前記識別用情報が前記送信部から送信されるものである、ことを特徴とする。
上記機器において、前記電磁誘導方式が２５０ｋＨｚ以下の電磁波を利用するものである、ことが好ましい。また、前記電磁誘導方式が１３．５６ＭＨｚ帯の電磁波を利用するものである、ことが好ましい。
また、本発明に係る機器の他の態様のひとつは、マイクロ波方式に基づき電力を生成する電力生成部と、識別用情報を記憶する記憶部と、送信部と、を含み、前記電力に基づき前記データ記憶部から前記識別用情報が読み出され、前記識別用情報が前記送信部から送信されるものである、ことを特徴とするものでもよい。
上記機器において、前記マイクロ波方式が２．４５ＧＨｚ帯の電磁波を利用するものである、ことが好ましい。また、さらに、前記電磁波を受信するアンテナを含む、ことが好ましい。また、前記電力に基づき前記電磁波から受信信号を復調し、前記受信信号に基づいて前記識別用情報を読み出すものである、ことが好ましい。また、さらに、前記受信信号を復調するデータ受信部と、前記受信信号に基づいて前記データ記憶部から前記識別用情報の読み出しを行うデータ制御部と、を含む、ことが好ましい。また、前記アンテナのアクセス方式がシングルアクセスモードである、ことが好ましい。また、前記アンテナのアクセス方式がＦＩＦＯアクセスモードである、ことが好ましい。また、前記アンテナのアクセス方式がマルチアクセスモードである、ことが好ましい。また、前記アンテナのアクセス方式がセレクティブアクセスモードである、ことが好ましい。
また、本発明に係る機器の他の態様のひとつは、電磁結合方式に基づき電力を生成する電力生成部と、識別用情報を記憶する記憶部と、送信部と、を含み、前記電力に基づき前記データ記憶部から前記識別用情報が読み出され、前記識別用情報が前記送信部から送信されるものである、ことを特徴とするものでもよい。
上記機器において、前記電磁結合方式がコイルの相互誘導を利用するものである、ことが好ましい。
また、本発明に係る機器の他の態様のひとつは、光方式に基づき電力を生成する電力生成部と、識別用情報を記憶する記憶部と、送信部と、を含み、前記電力に基づき前記データ記憶部から前記識別用情報が読み出され、前記識別用情報が前記送信部から送信されるものである、ことを特徴とするものでもよい。
上記機器において、前記光方式が光の空間伝送を利用するものである、ことが好ましい。また、前記データ記憶部が識別情報を記憶するものであり、前記送信部が前記識別用情報とともに前記識別情報を送信することができるものである、ことが好ましい。また、前記識別情報が使用者固有の情報である、ことが好ましい。また、さらに、表示部を含み、前記識別用情報の送信先が接続可能な対象でないとき、前記表示部に通知がなされるものである、ことが好ましい。また、さらに、表示部を含み、前記識別用情報の送信先が接続可能な対象であるとき、前記表示部に通知がなされるものである、ことが好ましい。また、前記通知が発光素子を用いてなされるものである、ことが好ましい。また、前記通知が前記識別用情報の送信先に近接したときになされるものである、ことが好ましい。また、前記識別用情報の送信先が接続可能な対象でないとき、前記識別用情報の送信先との接続が切断されるものである、ことが好ましい。
また、本発明に係るシステムの態様のひとつは、上記機器と、前記識別用情報の送信先となる電気機器と、を含む、ことを特徴とする。
また、本発明に係るシステムの他の態様のひとつは、  上記機器と、前記識別用情報の送信先となる電気機器と、を含み、前記電気機器が、前記識別用情報を判断し、前記機器に応答情報を送信するものである、ことを特徴とするものでもよい。
【手続補正４】
【補正対象書類名】明細書
【補正対象項目名】０００７
【補正方法】変更
【補正の内容】
【０００７】
上記目的を達成するために、本発明に係るプラグ誤挿入防止システムは、所定用途に用いられるプラグを、プラグ差込部の有するプラグ差込口に挿入する際に、当該プラグを誤ったプラグ差込口に挿入するのを防ぐためのプラグ誤挿入防止システムであって、前記プラグは、当該プラグに対応するプラグ差込口を識別するための情報である第１の識別用情報を記憶する第１の識別用情報記憶手段と、前記プラグ差込部の有するプラグ差込口に接近したときに、当該プラグ差込部に対して前記第１の識別用情報を送信するプラグ差込口情報送信手段と、前記プラグ差込部からの応答情報を受信する応答情報受信手段と、当該応答情報受信手段によって受信した応答情報に基づき当該プラグの前記プラグ差込口に対する状態をシステム利用者に通知するプラグ状態通知手段と、を備え、前記プラグ差込部は、当該プラグ差込部の有するプラグ差込口に対応する前記プラグを識別するための情報である第２の識別用情報を記憶する第２の識別用情報記憶手段と、前記プラグから送信された前記第１の識別用情報を受信する第１の識別用情報受信手段と、当該第１の識別用情報受信手段によって受信した前記第１の識別用情報と前記第２の識別用情報とを比較する識別用情報比較手段と、当該識別用情報比較手段の比較結果に基づき前記プラグへの応答情報を生成する応答情報生成手段と、当該応答情報生成手段によって生成された前記応答情報を前記プラグに送信する応答情報送信手段と、前記応答情報に基づき、前記プラグ差込口の当該プラグに対する状態を前記システム利用者に通知するプラグ差込口状態通知手段と、を備えることを特徴としている。
このような構成であれば、第１の発明において、プラグは、第１の識別用情報記憶手段によって、当該プラグに対応するプラグ差込口を識別するための情報である第１の識別用情報を記憶することが可能であり、プラグ差込口情報送信手段によって、前記プラグ差込部の有するプラグ差込口に接近したときに、当該プラグ差込部に対して前記第１の識別用情報を送信することが可能であり、応答情報受信手段によって、前記プラグ差込部からの応答情報を受信することが可能であり、プラグ状態通知手段によって、前記応答情報受信手段によって受信した応答情報に基づき当該プラグの前記プラグ差込口に対する状態をシステム利用者に通知することが可能であり、プラグ差込部は、第２の識別用情報記憶手段によって、当該プラグ差込部の有するプラグ差込口に対応する前記プラグを識別するための情報である第２の識別用情報を記憶することが可能であり、第１の識別用情報受信手段によって、前記プラグから送信された前記第１の識別用情報を受信することが可能であり、識別用情報比較手段によって、前記第１の識別用情報受信手段によって受信した前記第１の識別用情報と前記第２の識別用情報とを比較することが可能であり、応答情報生成手段によって、前記識別用情報比較手段の比較結果に基づき前記プラグへの応答情報を生成することが可能であり、応答情報送信手段によって、前記応答情報生成手段によって生成された前記応答情報を前記プラグに送信することが可能であり、プラグ差込口状態通知手段によって、前記応答情報に基づき、前記プラグ差込口の当該プラグに対する状態を前記システム利用者に通知することが可能である。